(57)【要約】      （修正有）【課題】高所の枝剪定作業の省略化を実現できる高枝切り鋏を提供する。【解決手段】グリップと、刃物セット２と、ロッド部材と、連動機構と、を備える。刃物セット２は固定刃１０と、可動刃２０と、連動具３０とを含む。固定刃１０の一端に受け刃部１１を設け、他端にロッド部材の一端と固結する組付部１２を設け、受け刃部１１と、組付部１２との間に枢支組付部１３を設け、枢支組付部１３の厚み中間部に上下が開放する枢支組付空間１３１を設ける。可動刃２０の一端に刃部２１を設け、他端が固定刃１０の枢支組付空間１３１に介設されて枢結されており、可動刃２０の一側から延設する受動部２３を固定刃１０の枢支組付空間１３１に介設し、受動部２３に受動歯部２３１を設ける。連動具３０は固定刃１０の枢支組付空間１３１に設けられて枢結されており、連動具３０の一端に連動部３２を設けて、連動機構に組み付けて、その一側に受動歯部２３１と噛合する駆動歯部３３を設ける。【選択図】図２
0003212267.tif 000002
【実用新案登録請求の範囲】
【請求項１】
高枝切り鋏であって、
グリップと、刃物セットと、ロッド部材と、連動機構と、を備え、前記グリップと、前記刃物セットとをそれぞれ前記ロッド部材の両端に結合し、前記連動機構を前記刃物セットと、前記グリップとの間に組み付け、
前記刃物セットは、固定刃と、可動刃と、連動具とを含み、
前記固定刃の一端に受け刃部を設け、その他端に組付部を設け、前記受け刃部と、前記組付部との間に枢支組付部を設け、前記枢支組付部の厚み中間部に上下が開放する枢支組付空間を設け、前記枢支組付部に前記枢支組付空間を貫通する第１枢支孔と、第２枢支孔とを設け、
前記可動刃の一端に刃部を設け、その他端に第３枢支孔を設け、前記刃部と、前記第３枢支孔との間の一側に向かって受動部を延設し、前記受動部の前記第３枢支孔に向かう一側に受動歯部を設け、前記第３枢支孔を設ける一端と、前記受動部とを前記固定刃の前記枢支組付空間に介設し、前記第３枢支孔と、前記固定刃の前記第１枢支孔とを枢結し
前記連動具は、前記固定刃の前記枢支組付空間に設けられ、その上に第４枢支孔を有し、その一端に連動部を設け、その一側に前記受動歯部と噛合する駆動歯部を設け、前記第４枢支孔と、前記固定刃の前記第２枢支孔とを枢結し、前記連動部が前記固定刃の前記枢支組付空間から外側に張り出して、前記連動機構に組み付けられていることを特徴とする、高枝切り鋏。
【請求項２】
前記第１枢支孔を前記第２枢支孔と前記組付部との間に設け、前記受動歯部と、前記駆動歯部とが波状に成型してなることを特徴とする、請求項１記載の高枝切り鋏。
【請求項３】
第１枢支具は、前記可動刃の前記第３枢支孔と、前記固定刃の前記第１枢支孔とを貫通して枢結されており、第２枢支具は、前記連動具の前記第４枢支孔と、前記固定刃の前記第２枢支孔とを貫通して枢結されていることを特徴とする、請求項１記載の高枝切り鋏。
【考案の詳細な説明】
【技術分野】
【０００１】
本考案は園芸の剪定工具に関し、特に高所の枝剪定作業に用いる高枝切り鋏に関する。
【背景技術】
【０００２】
一般として、枝や背の高い植物を剪定する場合は、高枝切り鋏を用いて剪定が行われる。高枝切り鋏の長いポールを利用して、使用者が床に立ったままで、高所の枝の剪定作業を行うことができるほか、作業効率を向上でき、より良い安全性があると共に、作業時間を短縮できる。
【０００３】
公知の高枝切り鋏は、使用者の手の把持に用いるグリップと、刃物セットとを含む。グリップと、刃物セットとをそれぞれロッド部材の両端に結合する。刃物セットには固定刃と、可動刃とが設けられている。刃物セットは連動機構を介して、グリップに繋いでいる。グリップを操作すれば、刃物セットの可動刃を連動させ、固定刃と合わせて剪定作業を行う。さらに、ロッド部材の長さで刃物セットを床から一定の高さに持ち上げれば、背丈の高い樹木や花の高所の枝の剪定が行われる。
【考案の概要】
【考案が解決しようとする課題】
【０００４】
一方、公知の高枝切り鋏の刃物セットは、固定刃は、ロッド部材と固着され、固定刃に細長状の滑り孔が設けられ、可動刃と、固定刃とが枢支可能ように結合していて、可動刃に駆動部を設け、駆動部は摺動具を介して、固定刃の滑り孔に摺設されている。使用時、グリップを操作すると、連動機構によって可動刃の駆動部を牽引し、摺動具が滑り孔内に摺動することで、可動刃を固定刃の方向に枢動させ、剪定作業を行う。しかしながら、この種の牽引による枢動の剪定方式では、省力効果を果たせず、操作に大きな力量を要するほか、使用者の手の疲れや、運動障害の問題を引き起こす。
【課題を解決するための手段】
【０００５】
本考案は、グリップと、刃物セットと、ロッド部材と、連動機構と、を備える高枝切り鋏を提供する。グリップと、刃物セットとをそれぞれロッド部材の両端に結合し、連動機構を刃物セットと、グリップとの間に組み付ける。
【０００６】
刃物セットは、固定刃と、可動刃と、連動具とを含み、固定刃の一端に受け刃部を設け、その他端に組付部を設け、受け刃部と組付部との間に枢支組付部を設け、枢支組付部の厚み中間部に上下が開放する枢支組付空間を設け、枢支組付部に枢支組付空間を貫通する第１枢支孔と、第２枢支孔を設ける。
【０００７】
可動刃の一端に刃部を設け、その他端に第３枢支孔を設け、刃部と、第３枢支孔との間の一側に向かって受動部を延設し、受動部の第３枢支孔に向かう一側に受動歯部を設け、第３枢支孔を設ける一端と、受動部とを固定刃の枢支組付空間に介設し、第３枢支孔と、固定刃の第１枢支孔と枢結する。
【０００８】
連動具は、固定刃の枢支組付空間に設けられ、その上に第４枢支孔を有し、その一端に連動部を設け、その一側に受動歯部と噛合する駆動歯部を設け、第４枢支孔と、固定刃の第２枢支孔とを枢結し、前記連動部が固定刃の枢支組付空間から外側に張り出して、連動機構に組み付けられている。
【０００９】
本考案の主な目的は、使用する際に、連動機構によって連動具を牽引して枢動させ、連動具の駆動歯部と、可動刃の受動歯部とを噛み合わせることによって、可動刃を連動させ、第３枢支孔を軸心として枢動して剪定作業を行い、剪定操作の省力化という実用効果を達成する。
【図面の簡単な説明】
【００１０】
【図１】本考案の高枝切り鋏の立体図である。
【図２】本考案の刃物セットの立体分解図である。
【図３】本考案の刃物セットの立体組み合わせ図である。
【図４】本考案の刃物セットの断面図である。
【図５】本考案の剪定作動図（その１）である。
【図６】本考案の剪定作動図（その２）である。
【考案を実施するための形態】
【実施例】
【００１１】
図１ないし４に示すように、本考案の高枝切り鋏は、グリップ１と、刃物セット２と、ロッド部材３と、連動機構４と、を備える。グリップ１と、刃物セット２とをそれぞれロッド部材３の両端に結合し、連動機構４を刃物セット２と、グリップ１との間に組み付け、グリップ１を操作すると、連動機構４によって刃物セット２を連動させる。
【００１２】
刃物セット２は、固定刃１０と、可動刃２０と、連動具３０とを含む。
【００１３】
固定刃１０は、片状に成型してなり、その一端に受け刃部１１を設け、他端に組付部１２を設け、受け刃部１１と、組付部１２との間に枢支組付部１３を設け、組付部１２は、ロッド部材３の一端に固結され、枢支組付部１３の厚み中間部に上下が開放する枢支組付空間１３１を設け、枢支組付部１３に枢支組付空間１３１を貫通する第１枢支孔１３２と、第２枢支孔１３３とを設け、第１枢支孔１３２を第２枢支孔１３３と、組付部１２との間に設ける。
【００１４】
可動刃２０は、片状に成型してなり、その一端に刃部２１を設け、その他端に第３枢支孔２２を設け、刃部２１と、第３枢支孔２２との間の一側に向かって受動部２３を延設し、受動部２３の第３枢支孔２２に向かう一側に波状の受動歯部２３１を設け、第３枢支孔２２を設ける一端と、受動部２３とを固定刃１０の枢支組付空間１３１に介設し、第１枢支具４０は、第３枢支孔２２と、固定刃１０の第１枢支孔１３２とを貫通して枢結されている。
【００１５】
連動具３０は、片状に成型してなり、固定刃１０の枢支組付空間１３１に設けられ、連動具３０の上に第４枢支孔３１を有し、連動具３０の一端に連動部３２を設け、その一側に可動刃２０の受動歯部２３１と噛合する波状の駆動歯部３３を設け、第２枢支具５０は、第４枢支孔３１と、固定刃１０の第２枢支孔１３３とを貫通して枢結されており、連動部３２が固定刃１０の枢支組付空間１３１から外側に張り出して、連動機構４に組み付けられている。
【００１６】
本考案を適用して、剪定作業するときは、図５に示すように、グリップ１を操作すると、連動機構４によって連動具３０が前方向に押し込まれる状態では、連動具３０は、第２枢支具５０（第４枢支孔３１）を軸心として枢動し、連動具３０の駆動歯部３３と、可動刃２０の受動歯部２３１とを噛み合わせることによって、可動刃２０を連動駆動させ、第１枢支具４０（第３枢支孔２２）を軸心として枢動し、可動刃２０の刃部２１と、固定刃１０の受け刃部１１とを連動して拡開状態に変形する。引き続きに、図６に示すように、グリップ１を操作すると、連動機構４によって連動具３０が後方向に引き出される状態では、連動具３０は、第２枢支具５０（第４枢支孔３１）を軸心として反対方向に枢動し、連動具３０の駆動歯部３３と、可動刃２０の受動歯部２３１とを噛み合わせることによって、可動刃２０は、第１枢支具４０（第３枢支孔２２）を軸心として連動枢動させ、可動刃２０の刃部２１を連動させて、固定刃１０の受け刃部１１に向かって移動させ、剪定操作を完成する。
【００１７】
前記した具体的な実施例の構造により、本考案は以下の効果を有することが分かる。
【００１８】
本考案の高枝切り鋏を適用して、剪定作業するときは、連動機構４によって連動具３０を牽引して枢動させ、連動具３０の駆動歯部３３と、可動刃２０の受動歯部２３１とを噛み合わせることによって、可動刃２０を連動させ、第１枢支具４０（第３枢支孔２２）を軸心として枢動して剪定作業を行い、剪定操作の省力化という実用効果を達成する。
【符号の説明】
【００１９】
１      グリップ
２      刃物セット
３      ロッド部材
４      連動機構
１０    固定刃
１１    受け刃部
１２    組付部
１３    枢支組付部
１３１  枢支組付空間
１３２  第１枢支孔
１３３  第２枢支孔
２０    可動刃
２１    刃部
２２    第３枢支孔
２３    受動部
２３１  受動歯部
３０    連動具
３１    第４枢支孔
３２    連動部
３３    駆動歯部
４０    第１枢支具
５０    第２枢支具
【図１】
0003212267.tif 000003
【図２】
0003212267.tif 000004
【図３】
0003212267.tif 000005
【図４】
0003212267.tif 000006
【図５】
0003212267.tif 000007
【図６】
0003212267.tif 000008